(57)【要約】【課題】  ロック機構を有するスライドレールアセンブリを提供すること。【解決手段】  スライドレールアセンブリは第１のレール、第２のレール、第１のロック装置及び第２のロック装置を含む。第１のレールはブロック部を含む。第１のロック装置は第２のレールに配置され、第２のレールが第１のレールに対して第１の所定の位置に動かされた場合に第１のレールのブロック部をロックするように構成されている。第２のロック装置は第２のレールに配置され、第２のレールが第１のレールに対して第２の所定の位置に動かされた場合に第１のレールのブロック部をロックするように構成されている。【選択図】  図２
2018044426.tif 000002
【特許請求の範囲】
【請求項１】
ブロック部を含む第１のレールと、
前記第１のレールに対して可動な第２のレールと、
前記第２のレールに配置される第１のロック装置であって、該第１のロック装置は第１の部材及び第２の部材を含み、該第１の部材は第１の部分を含み、該第２の部材は第２の部分を含み、該第１の部分と該第２の部分との間に第１の空間が定義される、第１のロック装置と、
前記第２のレールに配置される第２のロック装置であって、該第２のロック装置は第３の部材及び第４の部材を含み、該第３の部材は第３の部分を含み、該第４の部材は第４の部分を含み、該第３の部分と該第４の部分との間に第２の空間が定義される、第２のロック装置と、
を含むスライドレールアセンブリであって、
前記第２のレールが引っ込め位置から第１の所定の位置に第１の方向に沿って前記第１のレールに対して動かされた場合に、前記第１の空間は前記第１のレールのブロック部が前記第１のロック装置にロックされるように前記ブロック部を収容するように構成されており、
前記第１のロック装置が操作されて前記ブロック部のロックが解除されて、前記第２のレールが前記第１の所定の位置から第２の所定の位置に前記第１の方向に沿って前記第１のレールに対して動かされた場合に、前記第２の空間は、前記第１のレールのブロック部が前記第２のロック装置にロックされるように前記ブロック部を収容するように構成されている、スライドレールアセンブリ。
【請求項２】
前記第２のロック装置が操作されて前記ブロック部のロックが解除された場合、前記第２のレールは前記第２の所定の位置から前記引っ込め位置に第２の方向に沿って前記第１のレールに対して移動可能である、請求項１に記載のスライドレールアセンブリ。
【請求項３】
前記第１の部材は第１の弾性部をさらに含み、前記第１の部分は該第１の弾性部の端部に配置され、前記第２の部材は第２の弾性部をさらに含み、前記第２の部分は該第２の弾性部の端部に配置される、請求項１に記載のスライドレールアセンブリ。
【請求項４】
前記第１の弾性部は前記第２のレールと前記第２の弾性部との間に位置し、前記第１の弾性部及び前記第２の弾性部は前記第２のレールに対して傾斜している、請求項３に記載のスライドレールアセンブリ。
【請求項５】
前記第２の部材は前記第２の弾性部に連結される第１の伸長部をさらに含み、前記第２のレールは該第１の伸長部と当接するように構成された第１の支持部を含む、請求項４に記載のスライドレールアセンブリ。
【請求項６】
前記第３の部材は第３の弾性部をさらに含み、前記第３の部分は該第３の弾性部の端部に配置され、前記第４の部材は第４の弾性部をさらに含み、前記第４の部分は該第４の弾性部の端部に配置される、請求項１に記載のスライドレールアセンブリ。
【請求項７】
前記第３の弾性部は前記第２のレールと前記第４の弾性部との間に位置し、前記第３の弾性部及び前記第４の弾性部は前記第２のレールに対して傾斜している、請求項６に記載のスライドレールアセンブリ。
【請求項８】
前記第４の部材は前記第４の弾性部に連結される第２の伸長部をさらに含み、前記第２のレールは前記第２の伸長部と当接するように構成された第２の支持部を含む、請求項７に記載のスライドレールアセンブリ。
【請求項９】
前記第１のレールは前端及び後端を有し、前記ブロック部は該前端に隣接して配置される、請求項１に記載のスライドレールアセンブリ。
【請求項１０】
前記第１のロック装置及び前記第２のロック装置は前記第２のレールの長手方向沿いの前記第２のレールの異なる位置に配置される、請求項１に記載のスライドレールアセンブリ。
【請求項１１】
前記第２のレールは第１の壁部、第２の壁部及び該第１の壁部と該第２の壁部との間に連結される側壁を含み、前記第１のロック装置及び前記第２のロック装置は前記第２のレールの側壁に配置される、請求項１０に記載のスライドレールアセンブリ。
【請求項１２】
前記第１の空間は前記第２の空間よりも小さい、請求項１に記載のスライドレールアセンブリ。
【請求項１３】
第３のレールをさらに含み、前記第１のレールは前記第２のレールと該第３のレールとの間で可動に配置される、請求項１に記載のスライドレールアセンブリ。
【請求項１４】
ブロック部を含む第１のレールと、
第１の方向に沿って前記第１のレールに対して移動して伸長状態になるように構成された第２のレールと、
前記第２のレールに連結される第１のロック装置であって、該第１のロック装置は、前記第２のレールが前記第１のレールに対して第１の所定の位置に位置している場合に前記第１のレールのブロック部の２つの側をブロックするように構成されている、第１のロック装置と、
前記第２のレールに連結される第２のロック装置であって、該第２のロック装置は、前記第２のレールが前記第１のレールに対して第２の所定の位置に位置している場合に前記第１のレールのブロック部の２つの側をブロックするように構成されている、第２のロック装置と、
を含むスライドレールアセンブリ。
【請求項１５】
前記第１のロック装置は第１の部材及び第２の部材を含み、該第１の部材は第１の部分を含み、該第２の部材は第２の部分を含み、該第１の部分と該第２の部分との間に第１の空間が定義され、該第１の空間は、前記第２のレールが前記第１の所定の位置に位置している場合に前記第１のレールのブロック部を収容するように構成されている、請求項１４に記載のスライドレールアセンブリ。
【請求項１６】
前記第２のロック装置は第３の部材及び第４の部材を含み、該第３の部材は第３の部分を含み、該第４の部材は第４の部分を含み、該第３の部分と該第４の部分との間に第２の空間が定義され、該第２の空間は、前記第２のレールが前記第２の所定の位置に位置している場合に前記第１のレールのブロック部を収容するように構成されている、請求項１４に記載のスライドレールアセンブリ。
【請求項１７】
スライドレールと、
前記スライドレールに配置される第１のロック装置であって、該第１のロック装置は第１の部材及び第２の部材を含み、該第１の部材は第１の弾性部と、該第１の弾性部の端部に配置される第１の部分とを含み、該第２の部材は第２の弾性部と、該第２の弾性部の端部に配置される第２の部分とを含み、該第１の部分と該第２の部分との間に第１の空間引っ込め位置が定義される、第１のロック装置と、
前記スライドレールに配置される第２のロック装置であって、該第２のロック装置は第３の部材及び第４の部材を含み、該第３の部材は第３の弾性部と、該第３の弾性部の端部に配置される第３の部分とを含み、該第４の部材は第４の弾性部と、該第４の弾性部の端部に配置される第４の部分とを含み、該第３の部分と該第４の部分との間に第２の空間が定義される、第２のロック装置と、
を含むレールキット。
【請求項１８】
前記第１の弾性部が前記スライドレールと前記第２の弾性部との間に位置している場合、前記第１の弾性部及び前記第２の弾性部は前記スライドレールに対して傾斜し、前記第２の部材は前記第２の弾性部に連結される第１の伸長部をさらに含み、前記スライドレールは該第１の伸長部と当接するように構成された第１の支持部をさらに含む、請求項１７に記載のレールキット。
【請求項１９】
前記第３の弾性部は前記スライドレールと前記第４の弾性部との間に位置し、前記第３の弾性部及び前記第４の弾性部は前記スライドレールに対して傾斜し、前記第４の部材は前記第４の弾性部に連結される第２の伸長部をさらに含み、前記スライドレールは該第２の伸長部と当接するように構成された第１の支持部をさらに含む、請求項１７に記載のレールキット。
【請求項２０】
前記スライドレールは第１の壁部、第２の壁部及び該第１の壁部と該第２の壁部との間に連結される側壁を含み、前記第１のロック装置及び前記第２のロック装置は前記スライドレールの側壁に配置され、前記第１のロック装置及び前記第２のロック装置は前記スライドレールの長手方向沿いの前記スライドレールの異なる位置に配置される、請求項１７に記載のレールキット。
【発明の詳細な説明】
【技術分野】
【０００１】
本発明はスライドレールアセンブリに関し、より具体的にはロック機構を有するスライドレールアセンブリに関する。
【背景技術】
【０００２】
一般に、スライドレールアセンブリは第１のレールと、第１のレールに対して可動な第２のレールとを含む。第２のレールが第１のレールに対してある方向に沿って所定の位置に動かされると、第１のレールと第２のレールとの間に配置されるブロック構造は、第２のレールを所定の位置で保持するために第２のレールが第１のレールに対して前記方向に沿ってさらに動くのを防止できる。関連技術の向上が続くのに伴い、第１のレールに対する所定の位置でブロック機構によってブロックされるように構成された第２のレールと、第２のレールを第１のレールに対してある方向に沿って動かすためにブロック機構のロックを解除するよう操作されるように構成された操作部とを有するスライドレールアセンブリが提供されている。例えば、特許文献１には外側部材（２０）、内側部材（３０）、ストップ部材（５０）及び枢動部材（７０）を含むスライドアセンブリが開示されている。枢動部材（７０）は内側部材（３０）に対して枢動する。内側部材（３０）が外側部材（２０）に対してある場所に位置する場合、枢動部材（７０）及びストップ部材（５０）は互いにブロックし合って内側部材（３０）が外側部材（２０）に対して動くのを防止する。
【先行技術文献】
【特許文献】
【０００３】
【特許文献１】米国特許第６４１２８９１号明細書
【特許文献２】米国特許第８００７０６０号明細書
【特許文献３】米国特許第８５３４７８２号明細書
【発明の概要】
【発明が解決しようとする課題】
【０００４】
しかしながら、様々な市場の要求のために、限られたスペースに適用でき機器のメンテナンスを促進することができる様々なスライドレールアセンブリを提供することが重要である。
【課題を解決するための手段】
【０００５】
本発明はロック機構を有するスライドレールアセンブリ及びそのレールキットに関する。
【０００６】
本発明の一実施形態によれば、スライドレールアセンブリは第１のレール、第２のレール、第１のロック装置及び第２のロック装置を含む。第１のレールはブロック部を含む。第２のレールは第１のレールに対して可動である。第１のロック装置は第２のレールに配置される。第１のロック装置は第１の部材及び第２の部材を含む。第１の部材は第１の部分を含む。第２の部材は第２の部分を含む。第１の部分と第２の部分との間に第１の空間が定義される。第２のロック装置は第２のレールに配置される。第２のロック装置は第３の部材及び第４の部材を含む。第３の部材は第３の部分を含む。第４の部材は第４の部分を含む。第３の部分と第４の部分との間に第２の空間が定義される。第２のレールが引っ込め位置（retracted  position）から第１の所定の位置に第１の方向に沿って第１のレールに対して動かされた場合に、第１の空間は第１のレールのブロック部を収容し、ブロック部をロックするように構成されている。第１のロック装置が操作されてブロック部のロックが解除されて、第２のレールが第１の所定の位置から第２の所定の位置に第１の方向に沿って第１のレールに対して動かされた場合に、第２の空間は、第１のレールのブロック部が収容しブロック部をロックするように構成されている。
【０００７】
第２のロック装置が操作されてブロック部のロックが解除された場合、第２のレールは第２の所定の位置から引っ込め位置に第２の方向に沿って第１のレールに対して移動可能であることが好ましい。
【０００８】
第１の部材は第１の弾性部をさらに含み、第１の部分は該第１の弾性部の端部に配置され、第２の部材は第２の弾性部をさらに含み、第２の部分は該第２の弾性部の端部に配置されることが好ましい。
【０００９】
第１の弾性部は第２のレールと第２の弾性部との間に位置し、第１の弾性部及び第２の弾性部は第２のレールに対して傾斜していることが好ましい。
【００１０】
第２の部材は第２の弾性部に連結される第１の伸長部をさらに含み、第２のレールは該第１の伸長部と当接するように構成された第１の支持部を含むことが好ましい。
【００１１】
第３の部材は第３の弾性部をさらに含み、第３の部分は該第３の弾性部の端部に配置され、第４の部材は第４の弾性部をさらに含み、第４の部分は該第４の弾性部の端部に配置されることが好ましい。
【００１２】
第１の空間は第２の空間よりも小さいことが好ましい。
【００１３】
上記のスライドレールアセンブリは第３のレールをさらに含み、第１のレールは第２のレールと第３のレールとの間で可動に配置されることが好ましい。
【００１４】
本発明の別の実施形態によれば、スライドレールアセンブリは第１のレール、第２のレール、第１のロック装置及び第２のロック装置を含む。第１のレールはブロック部を含む。第２のレールは第１の方向に沿って第１のレールに対して移動して伸長状態になるように構成されている。第１のロック装置は第２のレールに連結される。第１のロック装置は、第２のレールが第１のレールに対して第１の所定の位置に位置している場合に第１のレールのブロック部の２つの側をブロックするように構成されている。第２のロック装置は第２のレールに連結される。第２のロック装置は、第２のレールが第１のレールに対して第２の所定の位置に位置している場合に第１のレールのブロック部の２つの側をブロックするように構成されている。
【００１５】
本発明のさらに別の実施形態によれば、レールキットはスライドレール、第１のロック装置及び第２のロック装置を含む。第１のロック装置はスライドレールに配置される。第１のロック装置は第１の部材及び第２の部材を含む。第１の部材は第１の弾性部と、該第１の弾性部の端部に配置される第１の部分とを含む。第２の部材は第２の弾性部と、該第２の弾性部の端部に配置される第２の部分とを含む。第１の部分と第２の部分との間に第１の空間が定義される。第２のロック装置はスライドレールに配置される。第２のロック装置は第３の部材及び第４の部材を含む。第３の部材は第３の弾性部と、該第３の弾性部の端部に配置される第３の部分とを含む。第４の部材は第４の弾性部と、該第４の弾性部の端部に配置される第４の部分とを含む。第３の部分と該第４の部分との間に第２の空間が定義される。
【００１６】
様々な図面に図示する下記の好ましい実施形態の詳細な説明を読み終えた後、本発明の上記の目的及び他の目的が当業者に間違いなく明らかになる。
【図面の簡単な説明】
【００１７】
【図１】図１は、本発明の一実施形態に係る、保持物体をラックに取り付けるように構成されたスライドレールアセンブリを示す図である。
【図２】図２は、本発明の一実施形態に係るスライドレールアセンブリを示す図である。
【図３】図３は、本発明の一実施形態に係るスライドレールアセンブリの分解図である。
【図４】図４は、図３の領域Ａの拡大図である。
【図５】図５は、本発明の一実施形態に係るレールキットを示す図である。
【図６】図６は、本発明の一実施形態に係る、引っ込められた状態にあるスライドレールアセンブリの断面図である。
【図７】図７は、本発明の一実施形態に係る、第１の伸長状態になるように第１のレールに対して第１の方向に沿って動かされたスライドレールアセンブリの第２のレールと、第１のレールのブロック部をロックする第１のロック装置とを示す断面図である。
【図８】図８は、本発明の一実施形態に係る、第１のレールのブロック部のロックを解除するよう操作されるスライドレールアセンブリの第１のロック装置を示す図である。
【図９】図９は、本発明の一実施形態に係る、第２の伸長状態になるように第１のレールに対して第１の方向に沿ってさらに動かされたスライドレールアセンブリの第２のレールと、第１のレールのブロック部をロックする第２のロック装置とを示す図である。
【図１０】図１０は、本発明の一実施形態に係る、第１のレールのブロック部のロックを解除するよう操作されるスライドレールアセンブリの第２のロック装置を示す図である。
【図１１】図１１は、本発明の一実施形態に係る、第１のレールに対して第２の方向に沿って動かされたスライドレールアセンブリの第２のレールを示す図である。
【図１２】図１２は、図１１の領域Ａの拡大図である。
【図１３】図１３は、本発明の一実施形態に係る、第１のレールのブロック部に対応する第１のロック装置によって定義された第１の空間の位置を示す図である。
【図１４】図１４は、図１３の領域Ａの拡大図である。
【図１５】図１５は、本発明の一実施形態に係る第１のレールのブロック部を横切るように動かされた第１のロック装置を示す図である。
【図１６】図１６は、本発明の一実施形態に係る、第１の伸長長さを有するように伸長されたスライドレールアセンブリを示す図である。
【図１７】図１７は、本発明の一実施形態に係る、第２の伸長長さを有するように伸長されたスライドレールアセンブリを示す図である。
【発明を実施するための形態】
【００１８】
図１に示すように、一対のスライドレールアセンブリ２２を通じて保持物体２０をラック２４に取り付けることができる。保持物体２０は電気機器であり得る。ラック２４は一対の第１のポスト２６ａ及び一対の第２のポスト２６ｂを含む。各スライドレールアセンブリ２２は第１のレール２８及び第２のレール３０を含む。各スライドレールアセンブリ２２は第３のレール３２をさらに含むことが好ましい。第１のレール２８は第２のレール３０と第３のレール３２との間に配置されている。第３のレール３２は、第１のブラケット３４及び第２のブラケット３６を通じて第１のポスト２６ａ及び第２のポスト２６ｂにそれぞれに取り付けることができる。他方、第２のレール３０は、保持物体２０をラック２４から押し出すことができるか又はラック２４内に押し込むことができるようにするために第２のレール３０を通じて保持物体２０を第３のレール３２及び／又は第１のレール２８に対して動かすことができるように保持物体２０を取り付けるように構成されている。そのような構成は当業者に周知であるため、それについてのさらなる説明は簡略化のために省略する。
【００１９】
図２及び図３に示すように、スライドレールアセンブリ２２の第１のレール２８は第３のレール３２と第２のレール３０との間で可動に取り付けられている。
【００２０】
第１のレール２８は少なくとも１つのブロック部３８を含む（図４参照）。本実施形態では、第１のレール２８は２つのブロック部３８を含む。さらに、第１のレール２８は前端４０及び後端４２を含み、第１のレール２８は第１の壁部４４ａ、第２の壁部４４ｂ及び第１の壁部４４ａと第２の壁部４４ｂとの間に連結される側壁４６を含む。一対のブロック部３８は側壁４６に配置されるとともに、第１のレール２８の前端４０に隣接することが好ましい。一対のブロック部３８は第１のレール２８の側壁４６に直接形成される突起、又は第１のレール２８の側壁４６に対して突出した一対のブロック部３８を含むアクセサリー４８をリベット留め、溶接又はネジ留めにより第１のレール２８に取り付けることができる。本発明では、一対のブロック部３８はこの構成に限定されない。
【００２１】
第２のレール３０（スライドレールともいう）は前端５０及び後端５２を有し、第２のレール３０は第１の壁部５４ａ、第２の壁部５４ｂ及び第１の壁部５４ａと第２の壁部５４ｂとの間に連結される側壁５６を含む。
【００２２】
さらに、スライドレールアセンブリ２２は第１のロック装置５８及び第２のロック装置６０をさらに含む。第１のロック装置５８及び第２のロック装置６０は第２のレール３０に配置されている（例えば、第２のレール３０の側壁５６に配置されている）。具体的には、第１のロック装置５８及び第２のロック装置６０は第２のレール３０の側壁５６に連結されている。第１のロック装置５８は第１の部材６２及び第２の部材６４を含む。他方、第２のロック装置６０は第３の部材６６及び第４の部材６８を含む。
【００２３】
図３及び図５に示すように、第２のレール３０、第１のロック装置５８及び第２のロック装置６０はレールキットを構成する。具体的には、第１のロック装置５８の第１の部材６２は第１の部分７０を含み、第２の部材６４は第２の部分７２を含む。第１の部分７０と第２の部分７２との間に第１の空間Ｓ１が定義されている。本実施形態では、第１の部分７０と第２の部分７２との間に２つの第１の空間Ｓ１が設けられている。他方、第２のロック装置６０の第３の部材６６は第３の部分７４を含み、第４の部材６８は第４の部分７６を含む。第３の部分７４と第４の部分７６との間に第２の空間Ｓ２が定義されている。本実施形態では、第３の部分７４と第４の部分７６との間に２つの第１の空間Ｓ２が設けられている。
【００２４】
図５及び図６に示すように、第１のロック装置５８及び第２のロック装置６０は第２のレール３０の長手方向沿いの第２のレールの異なる位置に配置されている。第１の空間Ｓ１の長手方向の寸法Ｌ１は第２の空間Ｓ２の長手方向の寸法Ｓ２よりも小さい。
【００２５】
第１の部材６２は第１の弾性部７８をさらに含む。第１の部分７０は第１の弾性部７８の端部に配置されている。他方、第２の部材６４は第２の弾性部８０をさらに含む。第２の部分７２は第２の弾性部８０の端部に配置されている。第１の弾性部７８は第２のレール３０の側壁５６と第２の弾性部８０との間に位置している。第１の弾性部７８及び第２の弾性部８０は第２のレール３０の側壁５６に対して傾斜している。第２の部材６４は第２の弾性部８０に連結される第１の伸長部８２をさらに含むことが好ましい。他方、第２のレール３０の側壁５６は第１の伸長部８２と当接するように構成された第１の支持部８４を備える。
【００２６】
第３の部材６６は第３の弾性部８６をさらに含む。第３の部分７４は第３の弾性部の端部に配置されている。他方、第４の部材６８は第４の弾性部８８をさらに含む。第４の部分７６は第４の弾性部８８の端部に配置されている。第３の弾性部８６は第２のレール３０の側壁５６と第４の弾性部８８との間に位置していることが好ましい。第３の弾性部８６及び第４の弾性部８８は第２のレール３０の側壁５６に対して傾斜していることが好ましい。第４の部材６８は第４の弾性部８８に連結される第２の伸長部９０をさらに含むことが好ましい。他方、第２のレール３０の側壁５６は第２の伸長部９０に当接するように構成された第１の支持部８４を備える。
【００２７】
図６に示すように、第２のレール３０は第１のレール２８及び／又は第３のレール３２に対して引っ込められた状態にある。具体的には、第２のレール３０は第１のレール２８及び／又は第３のレール３２に対して引っ込め位置Ｐに位置している。
【００２８】
図７に示すように、第２のレール３０が第１の方向Ｄ１に沿って引っ込め位置Ｐから第１の所定の位置Ｐ１に第１のレール２８及び／又は第３のレール３２に対して動かされると、第１のロック装置５８は、第２のレール３０が第１のレール２８に対して第１の方向Ｄ１又は第２の方向（第１の方向Ｄ１とは反対の方向）に沿って動くのを防止するために第１のレール２８のブロック部３８をロックするように構成されている。具体的には、第２のレール３０が第１のレール２８に対して第１の所定の位置Ｐ１に位置している場合、第１の空間Ｓ１は第１のレール２８のブロック部３８を収容するように構成されている。即ち、第１の部材６２の第１の部分７０及び第２の部材６４の第２の部分７２は、第１のロック装置５８はブロック部３８をロックするためにブロック部３８の２つの側をブロックするよう構成されるように、第１の弾性部７８及び第２の弾性部８０の弾性力に反応して第１のレール２８のブロック部３８の２つの側にそれぞれ位置している（例えば、第１の部分７０が第１のレール２８のブロック部３８の第１の側９４ａに位置し、第２の部分７２が第１のレール２８のブロック部３８の第２の側９４ｂに位置している）。そのような状態では、スライドレールアセンブリ２２は第１の伸長長さＥ１を有し、第２のレール３０は第１のレール２８に対して第１の伸長状態にある。
【００２９】
図７及び図８に示すように、ユーザーは、第１の部材６２の第１の弾性部７８及び第２の部材６４の第２の弾性部８０を押して第２のレール３０の側壁５６の方に動かし第１の部材６２の第１の部分７０及び第２の部材６４の第２の部分７２がブロック部３８の２つの側９４ａ、９４ｂをブロックしなくなるように、第１の力Ｆ１を加えて第１のロック装置５８を操作することができる。即ち、第１のロック装置５８を操作してブロック部３８のロックが解除される。
【００３０】
図９に示すように、そのようなロック解除状態では、第２のレール３０を第１の所定の位置Ｐ１から第１の方向Ｄ１に沿って第１のレール２８及び／又は第３のレール３２に対してさらに動かすことができる。第２のレールが第２の所定の位置Ｐ２に動かされると、第２のロック装置２８は、第２のレール３０が第１のレール２８に対して第１の方向Ｄ１又は第２の方向（第１の方向Ｄ１とは反対の方向）に沿って動くのを防止するために第１のレール２８のブロック部３８をロックするように構成されている。具体的には、第２のレール３０が第１のレール２８に対して第２の所定の位置Ｐ２に位置している場合、第２の空間Ｓ２は第１のレール２８のブロック部３８を収容するように構成されている。即ち、第３の部材６６の第３の部分７４及び第４の部材６８の第４の部分７６は、第２のロック装置６０がブロック部３８をロックするためにブロック部３８の２つの側をブロックするよう構成されるように、第３の弾性部８６及び第４の弾性部８８の弾性力に反応して第１のレール２８のブロック部３８の２つの側にそれぞれ位置している（例えば、第３の部分７４が第１のレール２８のブロック部３８の第１の側９４ａに位置し、第４の部分７６が第１のレール２８のブロック部３８の第２の側９４ｂに位置している）。そのような状態では、スライドレールアセンブリ２２は第２の伸長長さＥ２を有し、第２のレール３０は第１のレール２８に対して第２の伸長状態（完全伸長状態等）にある。
【００３１】
図９及び図１０に示すように、ユーザーは、第３の部材６６の第３の弾性部８６及び第４の部材６８の第４の弾性部８８を押して第２のレール３０の側壁５６の方に動かし第３の部材６６の第３の部分７４及び第４の部材６８の第４の部分７６がブロック部３８の２つの側９４ａ、９４ｂをブロックしなくなるように、第２の力Ｆ２を加えて第２のロック装置５８を操作することができる。即ち、第２のロック装置５８を操作してブロック部３８のロックが解除される。
【００３２】
図１１に示すように、第１のロック装置５８の第２の部材６４の第１の伸長部８２と第２の弾性部８０との間に傾斜面又は湾曲面等のガイド部９６が配置されていることが好ましい。第２のロック装置６０が操作されてブロック部３８のロックが解除されると、第２のレール３０を第２の所定の位置Ｐ２から引っ込め位置Ｐの方に第２の方向Ｄ２に沿って第１のレール２８及び／又は第３のレール３２に対して動かすことができる。さらに、第２のレール３０を第２の方向Ｄ２に沿って動かすプロセスの間、第１のロック装置５８のガイド部９６は第１のレール２８のブロック部３８の第１の側９４ａと接触する（図１２も参照）。
【００３３】
図１３に示すように、第２のレール３０が第２の方向Ｄ２に沿ってさらに動かされると、第２の弾性部８０及び第１の弾性部７８は、第１のレール２８のブロック部３８の第１の側９４ａとガイド部９６との間の摺動接触に反応して第２のレール３０の側壁５６の方に動かされて弾性力を蓄積し（図１４も参照）、第１の伸長部８２は第２のレール３０の第１の支持部８４に当接しない。さらに、第２の方向Ｄ２に沿った第２のレール３０の動きが、弾性力によって駆動される第１の弾性部７８の回復動作よりも速い場合には、第１の空間Ｓ１は第１のレール２８のブロック部３８と直接交差できる（図１５も参照。第２の弾性部８０及び第１の弾性部７８は、第１の伸長部８２を第２のレール３０の第１の支持部８４に再度当接されるために弾性力を放つ）。即ち、第１のロック装置５８は、第２のレール３０が第１のレール２８及び／又は第３のレール３２に対して引っ込め位置Ｐ（図６も参照）に直接移動して再び引っ込められた状態になることができるように第１のレール２８のブロック部３８をロックするのが防止されている。
【００３４】
図１６に示すように、第２のレール３０が第１のレール２８及び／又は第３のレール３２に対して第１の所定の位置Ｐ１に位置しており、ブロック部３８が第１のロック装置５８によってロックされている場合（図７も参照）、スライドレールアセンブリ２２は第１の伸長長さＥ１を有する。
【００３５】
図１７に示すように、第２のレール３０が第１のレール２８及び／又は第３のレール３２に対して第２の所定の位置Ｐ２に位置し、ブロック部３８が第２のロック装置６０によってロックされている場合（図９も参照）、スライドレールアセンブリ２２は第２の伸長長さＥ２を有する。第２の伸長長さＥ２は第１の伸長長さＥ１よりも長い。
【００３６】
上記の構成によれば、スライドレールアセンブリ２２は第１のロック装置５８及び第２のロック装置６０を通じて異なる伸長長さを有するようにロックすることができる。したがって、スライドレールアセンブリ２２は機器メンテナンスの特定の要求を満たすために様々な設置環境に適用可能である。
【００３７】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３８】
２０  保持物体
２２  スライドレールアセンブリ
２４  ラック
２６ａ、２６ｂ  ポスト
２８  第１のレール
３０  第２のレール
３２  第３のレール
３４  第１のブラケット
３６  第２のブラケット
３８  ブロック部
４０  前端
４２  後端
４４ａ、４４ｂ  壁部
４６  側壁
４８  アクセサリー
５０  前端
５２  後端
５４ａ、５４ｂ  
５６  側壁
５８  第１のロック装置
６０  第２のロック装置
６２  第１の部材
６４  第２の部材
６６  第３の部材
６８  第４の部材
７０  第１の部分
７２  第２の部分
７４  第３の部分
７６  第４の部分
７８  第１の弾性部
８０  第２の弾性部
８２  第１の伸長部
８４  第１の支持部
８６  第３の弾性部
８８  第４の弾性部
９０  第２の伸長部
９４ａ、９４ｂ  側
９６  ガイド部
【図１】
2018044426.tif 000003
【図２】
2018044426.tif 000004
【図３】
2018044426.tif 000005
【図４】
2018044426.tif 000006
【図５】
2018044426.tif 000007
【図６】
2018044426.tif 000008
【図７】
2018044426.tif 000009
【図８】
2018044426.tif 000010
【図９】
2018044426.tif 000011
【図１０】
2018044426.tif 000012
【図１１】
2018044426.tif 000013
【図１２】
2018044426.tif 000014
【図１３】
2018044426.tif 000015
【図１４】
2018044426.tif 000016
【図１５】
2018044426.tif 000017
【図１６】
2018044426.tif 000018
【図１７】
2018044426.tif 000019